(57)【要約】【課題】客室車内模擬映像を有し、客室車内の非常時の訓練を行えるようにした鉄道車両運転教習用シミュレータを得る。【解決手段】この鉄道車両運転教習用シミュレータは、客室車内の非常事態に対処するための訓練シナリオを設定でき、この設定された訓練シナリオに応じて、客室車内映像再生装置３により再生される客室車内模擬映像を模擬運転席６に配置された映像モニタ５に表示し、この映像モニタ５に表示される客室車内模擬映像を用いて模擬運転席６を操作することにより、客室車内の非常事態に対処する訓練を行うようにした。【選択図】        図１
2004219758.tif 000002
【特許請求の範囲】
【請求項１】
鉄道車両の運転操作を模擬して運転教習を行うように構成された鉄道車両運転教習用シミュレータにおいて、運転操作を模擬する模擬運転席、客室車内模擬映像を再生する客室車内映像生成部、及び上記模擬運転席に配置され、上記客室車内映像生成部によって再生された客室車内模擬映像を表示する映像モニタを備え、上記模擬運転席では、上記映像モニタに表示される客室車内模擬映像に対応した運転模擬が行われることを特徴とする鉄道車両運転教習用シミュレータ。
【請求項２】
客室車内で発生する非常事態に対する訓練を行うための訓練シナリオを設定する訓練シナリオ設定部を備え、上記客室車内映像生成部は、上記訓練シナリオ設定部によって設定された訓練シナリオに応じて客室車内模擬映像を再生することを特徴とする請求項１記載の鉄道車両運転教習用シミュレータ。
【請求項３】
上記客室車内映像生成部は、撮影フィルムを基に作成された客室車内模擬映像を再生することを特徴とする請求項１または請求項２記載の鉄道車両運転教習用シミュレータ。
【発明の詳細な説明】
【０００１】
【発明の属する技術分野】
この発明は、客室車内で発生する非常事態に対処する客室車内訓練シナリオを持ち、客室車内非常時の訓練を行えるようにした鉄道車両運転教習用シミュレータに関するものである。
【０００２】
【従来の技術】
従来の鉄道車両運転教習用シミュレータは、列車走行模擬、列車装置模擬、路線映像模擬、音声模擬、動揺模擬、通信機器模擬等で構成され、運転乗務員または車掌乗務員の運転教習、故障訓練や非常事態への対処訓練を行ってきた。（特許文献１参照）
【０００３】
【特許文献１】
特開平１０−１６１５１６号公報（段落００１１〜００１４、図２）
【０００４】
【発明が解決しようとする課題】
上記の鉄道車両運転教習用シミュレータを用いた運転乗務員または車掌乗務員の教習では、訓練内容に沿って設定された列車装置の故障、列車走行の異常事態、列車音の異常、路線映像への異常イベント、列車動揺の異常事態、通信に関する異常事態などに関し、運転乗務員または車掌乗務員の教習が可能であった。
しかし、客室車内模擬映像を用いた教習や、客室車内での故障訓練や非常事態への対処教習ができないという問題点があった。
【０００５】
この発明は、上記のような課題を解決するためになされたもので、客室車内模擬映像を有し、客室車内の非常時の訓練を行えるようにした鉄道車両運転教習用シミュレータを得ることを目的とする。
【０００６】
【課題を解決するための手段】
この発明に係わる鉄道車両運転教習用シミュレータにおいては、鉄道車両の運転操作を模擬して運転教習を行うように構成された鉄道車両運転教習用シミュレータにおいて、運転操作を模擬する模擬運転席、客室車内模擬映像を再生する客室車内映像生成部、及び模擬運転席に配置され、客室車内映像生成部によって再生された客室車内模擬映像を表示する映像モニタを備え、模擬運転席では、映像モニタに表示される客室車内模擬映像に対応した運転模擬が行われるものである。
【０００７】
【発明の実施の形態】
実施の形態１．
鉄道車両の運転手及び車掌に対する運転操作習熟及び機器故障や非常事態発生時の運転動作訓練を目的とする鉄道車両運転教習用シミュレータは、本物の車両運転台を模擬し、運転手や車掌の訓練をおこなうために運転操作を模擬する模擬運転席と、運転手の運転に合わせて前後、左右、上下にリアルタイムに動き、動作模擬をする動揺装置と、鉄道車両が走る路線の風景映像、駅のホームの風景映像や列車内の風景映像を生成する映像生成装置と、教官が訓練各種条件を設定し、訓練を監視・制御する教官卓と、システム全体を制御し、リアルタイムで動作模擬をおこなう中央制御装置と、から構成される。
【０００８】
この発明は、とくに客室車内の非常事態に対処する訓練を行うための客室車内模擬映像と、この訓練を行うための訓練シナリオについてのものである。
図１は、この発明の実施の形態１による撮影フィルムを基に生成した客室車内模擬映像装置を備える鉄道車両運転教習用シミュレータを示す摸式図である。
図１において、制御コンピュータ１は、鉄道車両運転教習用シミュレータの教師卓制御、イベント制御環境制御等のシステム全体の制御、並びに列車模擬、通信模擬及び音声模擬や訓練評価を行なう。模擬映像発生装置２は、制御コンピュータ１から送られてくる各種情報に合わせて路線映像を生成する。本発明で提案する客室車内映像再生装置３（客室車内映像生成部）は、撮影フィルムを基に編集・作成された客室車内模擬映像を再生する。路線映像プロジェクタ４は、模擬映像発生装置２で生成された路線映像を模擬運転席前方スクリーンに映写する。
映像モニタ５は、客室車内映像再生装置３によって再生された映像を表示する。
路線映像プロジェクタ４及び映像モニタ５は、模擬運転席６に配置されている。
模擬運転席６は、運転乗務員や車掌乗務員の訓練を行うために運転操作を模擬するように本物の車両運転台を模擬して形成されている。
【０００９】
図２は、この発明の実施の形態１による客室車内模擬映像装置を備える鉄道車両運転教習用シミュレータを示す機能構成図である。
図２において、訓練システム制御１０は、訓練を実施する教師が訓練シナリオを設定したり訓練状況をモニタする教師卓制御機能１１（訓練シナリオ設定部を含む）、列車故障や異常事態を発生させたり、路線映像に表示される信号機を制御するイベント制御機能１２、及び天候、時間、走行条件を制御する環境制御機能１３で構成され、訓練模擬２０、訓練映像３０、訓練評価機能４０を制御する。訓練模擬２０は、列車走行状態や列車機器を模擬する列車模擬機能２１、列車無線や客室車内通信を模擬する通信模擬機能２２、及び列車走行音、車内放送や衝突音を模擬する音声模擬機能２３で構成され、列車走行や訓練シナリオに応じた路線映像情報や客室車内模擬映像情報を訓練映像３０に送信する。訓練映像３０は、訓練模擬２０から受け取った情報に基づき、路線映像を生成する路線映像生成機能３１と、客室車内の模擬映像を生成する客室車内映像生成機能３２（客室車内映像生成部）から構成される。訓練評価４０は、模擬運転席６で行われた乗務員の運転教習、車両故障教習や異常事態への対処を、事前に設定された評価基準を基に評価する。
【００１０】
次に、図１の動作について説明する。
制御コンピュータ１が、各種条件により、模擬映像発生装置２で生成する映像が必要であれば、模擬映像発生装置２へ信号を送り、模擬映像発生装置２で必要な映像を生成し、生成された映像信号を路線映像プロジェクタ４へ送信し、路線映像プロジェクタ４が前方映像スクリーンに映像を映し出す。
また、制御コンピュータ１が各種条件により、客室車内模擬映像を生成する必要があれば、客室車内映像再生装置３へ信号を送り、客室車内映像再生装置３で必要な客室車内模擬映像を生成し、生成された映像信号を映像モニタ５へ送信し、映像モニタ５で客室車内模擬映像を表示する。この客室車内模擬映像を用いて、模擬運転席６で運転模擬することにより、客室車内の非常事態に対する運転乗務員及び車掌乗務員の訓練を行うことができる。
【００１１】
次に、図２の動作について説明する。
訓練システム制御１０では、教師卓制御機能１１が、訓練シナリオの設定を含む教習の各種設定や訓練監視を行う。イベント制御機能１２は、模擬故障、障害物の設定、制御、削除を行う。環境制御機能１３は、訓練時の天候、明るさ、乗車人員等の設定、変更、制御を行う。
訓練模擬２０では、列車模擬機能２１は、運転手の運転動作や各種設定条件に合わせ列車の機器動作や走行動作の模擬を行う。通信模擬機能２２は、運転手や車掌と中央指令所、駅、基地、客室車内を模擬した教官卓との通信を模擬する。
音声模擬機能２３は、駅の案内放送や非常放送を模擬する。訓練映像３０は、訓練する路線の映像を生成する路線映像生成機能３１と、客室車内の模擬映像を生成する客室車内映像生成機能３２から成る。訓練評価４０は、訓練実施中の運転手や車掌の操作手順や操作時間を記録し、基準点と比較し、訓練の評価を行う。
これらの機能により、運転乗務員または車掌乗務員による運転模擬に応じた状況を生成し、それを評価して、教習を行うことができ、客室車内の非常事態に対処する訓練シナリオに基づき客室車内の非常時の訓練を行うことができる。
【００１２】
実施の形態１によれば、客室車内模擬映像を鉄道車両運転教習用シミュレータで表示可能とし、この客室車内模擬映像を用いた客室車内の非常事態の教習を可能とする。
【００１３】
実施の形態２．
図３は、この発明の実施の形態１による模擬映像発生装置を使用して客室車内模擬映像を生成する鉄道車両運転教習用シミュレータを示す摸式図である。
図３において、制御コンピュータ１は、鉄道車両運転教習用シミュレータの教師卓制御、イベント制御環境制御等のシステム全体の制御、並びに列車模擬、通信模擬及び音声模擬や訓練評価を行なう。本発明で提案する客室車内模擬映像を生成する模擬映像発生装置２（客室車内映像生成部を含む）は、制御コンピュータ１から送られてくる各種情報に合わせて、路線映像や客室車内模擬映像を生成する。路線映像プロジェクタ４は、模擬映像発生装置２で生成された路線映像を運転席前方スクリーンに映写する。映像モニタ５は、模擬映像発生装置２で生成された客室車内模擬映像を表示する。
なお、鉄道車両運転教習用シミュレータを構成する機能は、図２におけるものと同一である。
【００１４】
次に、動作について説明する。
制御コンピュータ１が、映像生成に必要な情報を模擬映像発生装置２に送り、模擬映像発生装置２で必要な映像を生成し、路線映像の場合、路線映像プロジェクタ４へ送信し、路線映像プロジェクタ４が前方映像スクリーンに映像を映し出す。また、客室車内模擬映像の場合、映像モニタ５へ送信し、映像モニタ５で客室車内模擬映像を表示する。このようにして、客室車内の非常事態に対処する訓練シナリオに応じて客室車内の非常時の訓練を行うことができる。
【００１５】
実施の形態２によれば、実施の形態１と同様の効果が得られる。
【００１６】
【発明の効果】
この発明は、以上説明したように、鉄道車両の運転操作を模擬して運転教習を行うように構成された鉄道車両運転教習用シミュレータにおいて、運転操作を模擬する模擬運転席、客室車内模擬映像を再生する客室車内映像生成部、及び模擬運転席に配置され、客室車内映像生成部によって再生された客室車内模擬映像を表示する映像モニタを備え、模擬運転席では、映像モニタに表示される客室車内模擬映像に対応した運転模擬が行われるので、客室車内模擬映像を用いて客室車内の非常事態に対する訓練を運転乗務員及び車掌乗務員に対して行うことができる。
【図面の簡単な説明】
【図１】この発明の実施の形態１による撮影フィルムを基に生成した客室車内模擬映像装置を備える鉄道車両運転教習用シミュレータを示す摸式図である。
【図２】この発明の実施の形態１による客室車内模擬映像装置を備える鉄道車両運転教習用シミュレータを示す機能構成図である。
【図３】この発明の実施の形態２による模擬映像発生装置を使用して客室車内模擬映像を生成する鉄道車両運転教習用シミュレータを示す摸式図である。
【符号の説明】
１  制御コンピュータ、２  模擬映像発生装置、３  客室車内映像再生装置、４  路線映像プロジェクタ、５  映像モニタ、６  模擬運転席、
１０  訓練システム制御、１１  教師卓制御機能、１２  イベント制御機能、
１３  環境制御機能、２０  訓練模擬、２１  列車模擬機能、
２２  通信模擬機能、２３  音声模擬機能、３０  訓練映像、
３１  路線映像生成機能、３２  客室車内映像生成機能、４０  訓練評価。
【図１】
2004219758.tif 000003
【図２】
2004219758.tif 000004
【図３】
2004219758.tif 000005